(57)【要約】【課題】ケースの扉を簡単に開閉することができ、表示部の交換作業などを容易に行える標識装置を提供する。【解決手段】標識装置１のケース３に設けた扉４は、取付金具４４を支軸として上下に開放する構成をなす。この扉４にモジュール６を収容し、パネル７と枠材５とを配置して扉４と結合する。ケース３の開口縁部３３と、扉４と、枠材５との各上辺に、外側に向かって垂直に延びた垂設片を形成し、扉４を閉めると、これら垂設片が重なり合った状態で結合される。これに雄ねじ８の軸部８１を複数箇所挿通させて、締結構造をもたらす。締結構造は、扉垂設片４３を挟持する一方の垂設片上にねじ頭８２を貫通させる貫通孔を施し、ねじ頭８２を貫通させた先の垂設片同士を結合する締結構造と、当該締結構造とは別に、貫通孔を施した垂設片側より軸部８１を挿通して、当該垂設片と扉垂設片４３のみと締結をする機構とで構成される。【選択図】        図１
2004246031.tif 000002
【特許請求の範囲】
【請求項１】
外側へ開放する扉を備えたケースと、扉を含むケースに収容した表示ユニットと、扉の外側に配置した透光性のパネルと、当該パネルの周縁を覆って扉と結合する環状の枠材とを有する標識装置において、
ケースの開口縁部より外側へ垂直に延びたケース垂設片と、扉の周縁より垂設した扉垂設片と、枠材の周縁より垂設した枠材垂設片とが、同一の方向に形成され、扉垂設片の両側よりケース垂設片と枠材垂設片とが挟んで重なり合い、当該重なり合った垂設片上にねじの軸部を挿通して垂設片同士を結合するものであって、
ケース垂設片と扉垂設片とを結合する締結機構と、扉垂設片と枠材垂設片とを結合する締結機構とが、独立して構成されることを特徴とする標識装置の組立構造。
【請求項２】
請求項１に記載の標識装置において、
重なり合った垂設片上の、扉垂設片を挟んだ一方の垂設片にねじ頭を貫通する貫通孔を穿設し、当該貫通孔へねじの軸部を挿通してねじ頭を貫通させた先の垂設片同士を締結する第１の締結機構と、ねじの軸部を挿通して貫通孔を形成した垂設片とその隣接する垂設片のみを結合する第２の締結機構とを有し、
第１の締結機構と第２の締結機構とが、独立して構成されることを特徴とする標識装置の組立構造。
【請求項３】
請求項１に記載の標識装置において、
重なり合った垂設片上の扉垂設片を挟んだ一方の垂設片に、ねじ頭を貫通する貫通孔を穿設し、当該貫通孔へねじの軸部を挿通してねじ頭を貫通させた先の垂設片同士を結合する締結機構を構成するものであって、
上記締結機構は、所定間隔をあけて複数箇所配置され、ねじの軸部が対向して挿通される一対の締結機構群を構成するものであり、もって、ケース垂設片と扉垂設片との締結機構と、扉垂設片と枠材垂設片との締結機構とを提供することを特徴とする標識装置の組立構造。
【発明の詳細な説明】
【０００１】
【発明の属する技術分野】
本発明は、主に緊急自動車や道路公団巡回車などの車両ルーフ面上に設置するものであり、後続の車両など周囲に対して、事故や工事中、作業中など各種の状態を信号報知・誘導案内するために使用される車両用標識装置に関するものである。
【０００２】
【従来の技術】
この種、標識装置は、文字や図形などを発光表示するための表示部をケースに収容しており、かかる表示部の表示面に文字や図形などを表示させて信号報知などを行う。表示部は、例えばＬＥＤ（発光ダイオード）をマトリクス状に配列させたモジュールを複数個連ね、当該ＬＥＤを選択的に点灯制御させるものが採用される。ケースには扉が設けられており、扉を通じてケースの内部を開閉できるようにすることで、収容した表示部の内部機構などを組立、交換する作業が容易となる。そして、この扉の外面より表示面が表れて、各種情報が視認されるように表示部が設置される。すなわち、表示面を有した扉が、ケースへ開閉自在に取り付けられる構造をもつ。
【０００３】
図４は、その従来例である標識装置の構造を示したものである。図４において、ケース９１の扉９２にＬＥＤのモジュール９３を組み込み、このモジュール９３の前方に透光性のパネル９４が配置されている。そして、このパネル９４の周縁を覆った枠材９５が、扉９２を挟んでケース９１に結合し、標識装置を構成している。結合は、ねじ締結によって行われ、扉９２、および枠材９５の上端周縁を外側へ垂直に曲げて垂設片９６、９７を形成し、臨んだケース９１の開口周縁を内側へ垂直に曲げて垂設片９８を形成させ、これら垂設片９６、９７、９８が連なって当接したところに雄ねじ９９を挿通して締結する。この構成により、ケース９１の扉９２に配置したモジュール９３に臨んでパネルが配置され、外部から降りかかる雨水などを防止しつつ、表示面上に文字などを映し出すことができる。そして、枠材９５と扉９２とケース９１とを同一箇所で結合する構造上、一度の工程だけで結合ができ、組立を短時間で行えることができる。
【０００４】
【特許文献１】特開２００２−２４２１３３
【０００５】
【発明が解決しようとする課題】
ところが、このような構成では、組立作業を完了した後に扉を開ける必要が生じた場合であっても、締結するねじを取り外せば枠材―扉―ケース間すべてにおける結合が外れることとなる。そうなると、枠材と扉との結合をも外すこととなり、挟持していたパネルも外れてしまう。そのため、モジュールの交換など、ケースの内部を開ける必要がある作業などにおいては、作業に必要としないパネルまでも外す必要が生じ、非常に手間がかかっていた。また、パネルを外す場合においても、扉とケースとの結合をも外すこととなるため、同様に作業効率が悪いものとなっていた。さらに、扉を挟んで両側に配置した枠材とケースとを結合するため、枠材と扉との結合関係や、扉とケースとの結合関係を、外部から直接決定できるものではなかった。そのため、要素間の結合が不十分だと、毛細管現象が生じ、ねじ穴や結合する面の隙間から雨水などが侵入し得ることとなるため、別途の防水手段など対策を講じる必要があった。その他、枠材からケースまでをまとめて締結する構造上、ねじ締結をするにあたっては、枠材などに設けるねじ孔を同一線上に配置させておく必要がある。そのため、枠材などの各要素を位置決めすることが困難となっていた。
一方、各垂設片を全て重なり合わせることなく、枠材と扉とを締結する機構と、扉とケースとを締結する機構とを用意する構造も考え得る。例えば、扉の上辺と左右側辺に垂直片を形成し、挟持するケースの上辺と、枠材の左右側辺とに垂設片を設けた構成にすれば、締結する垂設片が共通しないので、枠材―扉間や、扉―ケースとの結合や脱落が、互いに影響せず行える。その他にも、垂設片を枠材とケースのみに設けて、両者間を結合し、その内側において扉を枠材と締結させる構造をとれば、上記と同様の効果が生ずる。しかし、前段の構造では、構造が複雑化する他、扉に設ける垂設片を複数とするなどでコスト高となり得る。また、後段の構造では、枠材とケース間で囲まれる領域内に、扉と、当該扉と枠材とを締結する機構を用意する必要があるため、扉と、扉の形状に伴って当該扉と枠材との間に収めたパネルとを小さくする必要が生じ、結果として表示面の領域を制限することとなるので望ましくない。
そこで、本発明の目的は、上述の技術的課題を解決し、組立やモジュールなどの交換作業などを容易にして、且つ防水効果を一定の水準に保たせる標識装置の組立構造を提供することにある。
【０００６】
【課題を解決するための手段】
上記の目的を達成するための請求項１記載の発明は、外側へ開放する扉を備えたケースと、扉を含むケースに収容した表示ユニットと、扉の外側に配置した透光性のパネルと、当該パネルの周縁を覆って扉と結合する環状の枠材とを有する標識装置において、ケースの開口縁部より外側へ垂直に延びたケース垂設片と、扉の周縁より垂設した扉垂設片と、枠材の周縁より垂設した枠材垂設片とが、同一の方向に形成され、扉垂設片の両側よりケース垂設片と枠材垂設片とが挟んで重なり合い、当該重なり合った垂設片上にねじの軸部を挿通して垂設片同士を結合するものであって、ケース垂設片と扉垂設片とを結合する締結機構と、扉垂設片と枠材垂設片とを結合する締結機構とが、独立して構成されることを特徴とする。
【０００７】
この発明によれば、ケースと、扉と、枠材とを組み立てる際において、それぞれに形成した垂設片が、同一方向で当接し、重なり合う。そして、この重なり合った垂設片上に設けた締結機構を使って、垂設片同士を結合し、ケースと、扉と、枠材とを一体にする。締結機構は、垂設片上へねじの軸部を挿通して締結する構成をもつが、扉垂設片と、扉垂設片を挟んだ各垂設片とをそれぞれ締結するものである。つまり、ケース垂設片と扉垂設片とを締結する機構と、扉垂設片と枠材垂設片とを締結する機構とに分かれる。そして、これら両者の締結機構が別個独立に存在することで、互いに影響を与えずに締結や脱落を行うものとなる。このため、予め枠材と扉とを締結した後に扉をケースに結合することや、ケースと扉との締結のみを脱落させることができる。したがって、扉の開閉作業が容易となり、内部機構を組立・交換する作業の効率が良くなる。
また、外部からの締結により、ケース垂設片と扉垂設片、および扉垂設片と枠材垂設片との結合条件を直接決定づけることができるため、毛細管現象を防ぎ、ケース内部への水の侵入などを抑えることができる。さらに、締結をするにあたり、ねじの軸部を挿通させるためには、２枚の垂設片を位置決めすれば足りるので、容易に作業を行うことができる。
【０００８】
また、請求項２に記載の発明は、請求項１に記載の標識装置において、重なり合った垂設片上の、扉垂設片を挟んだ一方の垂設片にねじ頭を貫通する貫通孔を穿設し、当該貫通孔へねじの軸部を挿通してねじ頭を貫通させた先の垂設片同士を締結する第１の締結機構と、ねじの軸部を挿通して貫通孔を形成した垂設片とその隣接する垂設片のみを結合する第２の締結機構とを有し、第１の締結機構と第２の締結機構とが、独立して構成されることを特徴とする。
この発明によれば、ねじ頭を貫通する貫通孔を締結機構に取り入れるだけで、扉垂設片を挟持したケース垂設片と枠材垂設片とが、それぞれ扉垂設片と結合した締結構造をもたらすこととなる。つまり、重なり合った垂設片において、ねじの軸部の挿通に応えて穿設されたねじ孔の内、ケース垂設片、或いは枠材垂設片の、どちらか一方におけるねじ孔を貫通孔とすればよく、ねじの軸部を挿通すると、ねじ頭が貫通孔を貫通し、その先にある垂設片同士が締結されることとなる。すなわち、挿通するねじは、貫通孔を超えた先にある垂設片同士を結合することとなり、これが、第１の締結機構をなす。
一方、貫通孔を設けた垂設片と、その隣接する垂設片との結合に付いては、上記第１の締結機構とは別の締結機構として用意すればよく、重なり合う垂設片を貫通するようにねじ孔を設け、そこへねじの軸部を挿通すれば行える。つまり、挿通するねじの軸部は、ねじ頭が垂設片に当接したところで止まって、ねじの軸部を挿通した領域にわたって締結をするものであるから、貫通孔を設けた垂設片上にねじ頭が当接し、扉垂設片の先にある垂設片との締結を無効とさせた別個の締結機構を用意すればよい。すなわち、貫通孔を有する垂設片と、その先にある扉垂設片との結合のみをもたらす第２の締結機構がなされることとなる。第２の締結機構において、扉穿設片の先にある垂設片との締結を無効とするためには、扉垂設片の先にある垂設片上に、例えばねじの軸部より大径のねじ孔を設ければ足りる。或いは、ねじ孔を設けない等、ねじの軸部の挿通を阻止する構造にしたり、ねじの軸部を垂設片２枚分のみの長さにするといった方法も挙げられるが、ねじ孔の径を僅かに広げれば、ねじの軸部の長さに多少のばらつきがあっても許容されるので、負担が軽減されて好都合である。
【０００９】
また、請求項３に記載の発明は、請求項１に記載の標識装置において、重なり合った垂設片上の扉垂設片を挟んだ一方の垂設片に、ねじ頭を貫通する貫通孔を穿設し、当該貫通孔へねじの軸部を挿通してねじ頭を貫通させた先の垂設片同士を結合する締結機構を構成するものであって、上記締結機構は、所定間隔をあけて複数箇所配置され、ねじの軸部が対向して挿通される一対の締結機構群を構成するものであり、もって、ケース垂設片と扉垂設片との締結機構と、扉垂設片と枠材垂設片との締結機構とを提供することを特徴とする。
この発明によれば、貫通孔を挿通したねじは、ねじ頭を貫通した先の垂設片同士を締結することとなることから、この締結機構を利用して、ケース垂設片と扉垂設片との結合と、扉垂設片と枠材垂設片との結合とを提供することができる。つまり、重ね合った垂設片上に設けた複数個の締結機構において、ケース垂設片上に貫通孔を設けた締結機構を用意すると、ケース垂設片へ挿通したねじの軸部は、ねじ頭がケース垂設片を貫通し、その先にある扉垂設片と枠材垂設片とを締結する。一方、枠材垂設片上に貫通孔を設けた締結機構を用意すると、枠材垂設片へ挿通したねじの軸部は、ねじ頭が枠材片を貫通し、その先にある扉垂設片とケース垂設片とを結合する。
この構造により、ケース垂設片から枠材垂設片にかけての結合を達成することができる。また、ねじの軸部を挿通する向きによって締結機構が大別されるため、かかる識別が容易にできる。そのため、組立てや取り外す作業上において、効率良く行えることとなる。
【発明の実施の形態】
【００１０】
本発明の実施例を、図面に従って説明する。図１は、本発明の標識装置における実施形態の一部を断面とした側面図である。図２は、図１に示した標識装置の斜視図と、締結機構を拡大した図である。なお、記述にある方向に付いては、標識装置を車両に搭載した状態における車両の進行方向を基準にして行う。つまり、表示面が表れる方向側は背面にあたり、標識装置は、表示面を後方へ向けて各種表示を行うものである。
標識装置１は、表示面１１を有する表示ユニットをケースに収容して、それをカバー２が覆って全体を構成する。カバー２は、標識装置１の外形を成すものであるが、ケース３を覆った際に表示面が標識装置の外面として現れるよう、開口を有している。表示ユニットは、この開口に対応して配置され、表示面１１を外部に現す。また、車両に載置して走行する際に受ける風圧や空気抵抗などを軽減するため、カバー２の前面は傾斜の緩い斜面になっている。カバー２は、ＦＲＰ（繊維強化プラスチック）などの素材を使って作製されるが、ＦＲＰの中でもガラス繊維でプラスチックを補強・強化したものなどが望ましい。なお、標識装置１においては、当該カバー２の上面に横長形状の散光式警光灯（図示せず）を配置して、係る警告閃光や警報などを通じて遠方に対しての注意喚起力を高める仕様もある。
【００１１】
ケース３は、アルミニウムなどの金属板を加工して作製した中空の筐体であり、直立した背面に開口３１を形成し、この開口３１に対応する扉４が用意される。開口３１は、ケース背面の上方から中央下にかけての領域を占有しているが、ケース３の背面下方には垂直に形成した面を残している。この垂直とした面に取付金具４４を複数個配置して、扉４と開閉を支持する。扉式としたのは、ケース３内部に表示部１１の内部機構（図示せず）などを収容し、かかる内部機構を組立、交換しやすくするためである。取付金具としては、例えば蝶番などが挙げられるが、その他開閉を支持するものであれば良い。また、本実施例では、取付金具４４によって扉４が上下方向に開閉する構成となっているが、扉の開閉方向は上下に限らず、左右に開閉する方式を採用してもよい。一方、ケース３では、開口３１の周縁３３を外側に向かって水平方向に延びているが、その開口３１の上辺には、直角状に形成したケース垂設片３２が延設されている。ケース垂設片３２は、開口３１上辺の周縁端よりやや奥の位置にあり、周縁３３を残しながら形成している。ケース垂設片３２は、垂設した面を開口周縁側に向けてケース３と一体を成している。ケース垂設片３２とケース３との結合は、ねじ締結やリベット、或いは溶接などによって達成される。
【００１２】
扉４は、板金を加工して形成した中空の板材である。扉４は、開口３１と同等の大きさを有し、周縁に沿って周壁４１を形成している。その周壁４１によって囲まれた領域内に、複数個のモジュール６を連ねて収容しており、モジュール６は、収容する扉４の反対側よりねじ止めなどの締結機構を介して固定されている。扉４の、モジュール６を収容した領域は中空となっており、モジュール６の背面を露出させる構成となっている。モジュール６の背面に接続するためのケーブルやコネクタなどの接続端子を、組み込み易くするためである。
また、扉４の上辺においては、周壁４１の外側より垂直方向に延長して垂設片４３を形成している。この垂設片４３が、後述する締結構造において、扉垂設片としての機能を果たすものとなる。扉垂設片４３は、ケース垂設片３２と同等の大きさを有している。
扉には、周壁４１を形成しているが、同時に反対側の面においては断面凹字状の溝４２が環状に形成されている。扉４を閉めると、この溝４２がケース３の開口３１周縁を覆うように配置される。ここで、開口３１周縁の先端に、天然ゴムや合成ゴムなどの弾性部材３４を張り巡らせておけば、扉３とケースとの密閉性を強化できる。すなわち、扉３を閉めるに伴って、弾性部材３４が溝４２の底に当接し、扉４と弾性部材３４との隙間を抑えることで、密閉性を保つこととなる。こうすることで、扉４とケース３との隙間より入る水の勢いを抑えることができ、ケース３内部の防水性を保つことができる。
【００１３】
パネル７は、プラスチックやガラス材などの透光性材料でできた板材であり、扉４の外枠と同等或いはやや小さい形状を呈する。パネル７は、モジュール６に臨んで配置され、パネル７の周縁７１が扉４の周壁４１上に当接した状態で収まる。このようにパネル７を設けることで、外部から来る雨水や粉塵などに対し、モジュール６上の表示面を保護することができる。
５は枠材であり、断面略Ｌ字状に曲折した板金を環状に形成させたものである。この枠材５がパネル７に臨んで配置すると、当該パネル７の周縁７１を覆った状態で扉４に結合される。このとき、同時に扉４の周壁４１外周をも覆うようにして、当該扉４と組み合される。枠材５の上辺は、外側に向かって垂直に曲げた垂設片５１を形成し、これが後述の締結構造における枠材垂設片を成す。枠材垂設片５１は、扉垂設片４３と同等の大きさを有する。枠材５を扉４に組み付けると、パネル７を挟んだ状態で扉４と組み合わされ、同時に枠材垂設片５１が扉垂設片４３と当接される。この状態の下、枠材５側より雄ねじ８を挿通させて、両者間を結合させる。結合は、枠材５の垂設片５１と下辺よりねじを挿通して行われるが、上下とも等間隔に配置されたほうが望ましい。なお、枠材５の下辺より結合する手段としては、雄ねじの他にもリベットやボルトとナットを用意して行うことができる。
ところで、パネル７から扉４の周壁４１にかけて形成される空間内に雨水などが侵入しないよう、天然ゴムや合成ゴムなどの弾性部材（図示せず）を用意することもある。例えば、パネル７の周縁７１とそれに臨む周壁４１との間や、枠材５との間などに、板状の弾性部材を環状に張り巡らせておけば、パネル７を挟んで扉４と枠材５とを結合するに応じて各隙間をおさえることができる。
【００１４】
モジュール６は、ＬＥＤ（発光ダイオード）をマトリクス状に配置した表示ユニットであり、当該ＬＥＤを選択的に点灯・消灯させることで、文字や図形などをモジュール面上に映し出す。ＬＥＤの点灯などの制御は、別途用意する制御基板などを通じて行う。表示する文字などを予め設定しておき、外部信号の入力に応じて制御基板がはたらくことで、各種の表示がなされる。制御基板などは、モジュール６の背面やケース３の内部などに収容されて構成される。なお、表示する手段としては、上述のＬＥＤを光源とするものに限定せず、蛍光灯や電球などを光源として透光性のパネルに描いた文字や図形などを表示させる照明式のものや、液晶モジュールなどを採用した仕様としてもよい。いずれにしても、扉４からパネル７にかけて形成される空間内に、表示するための要素を収容し、固定される。
【００１５】
このように、扉４には、臨んで配置されたパネル７との空間内にモジュール６を収容し、枠材５を組み合わせて結合して、表示する一体のユニットを形成する。このユニットを組み込んだ扉４を閉めることで、当該扉４が起立した状態となり、ケース３の背面側から、パネル７とその奥にあるモジュール６が表れることとなる。他方、扉４を降ろしてケース３の内部を開放させた状態にすると、扉４に組み付けたモジュール６の背面などが表れる。これで、制御基板などの内部機構を交換する作業が行える。扉４は、このように開閉式を有するものであるが、扉４と臨むケース３との間を紐などで結ぶようにすれば、扉４が開放する許容角度を調節することができる。そのため、開閉時における扉４の状態を保持できて、作業上都合がよい。
【００１６】
取付金具４４に支持されて扉４を閉じると、開口３１を塞ぐと同時に扉垂設片４３がケース垂設片３２に当接する。そして、この当接した垂設片３２、４３に雄ねじ８を挿通して締結することで、ケース垂設片３２と扉垂設片４３とが結合し、ケース３と扉４との固定を確保する。他方、枠材５と扉４との結合は上述のとおりであるが、結果として、扉垂設片４３の両側よりケース垂設片３２と枠材垂設片５１とを挟んで、各垂設片が重なり合った状態を呈する。この重なり合った垂設片上に、雄ねじ８を挿通して締結することで、両者間の結合を果たす。しかし、扉４と枠材５との結合に影響を与えることなく扉４の開閉を行うには、この重なり合った垂設片上に、扉４とケース３との締結機構と、扉４と枠材５との締結機構とを、別個独立して構成させることが必要となる。そこで、本実施例においては、図３で示すような締結構造を提供するものである。
【００１７】
図３において、（ａ）は枠材５と扉４との締結構造を示した図であり、（ｂ）は扉４とケース３との締結構造を示した図である。いずれも、扉４を閉めたときの状態を示しており、枠材５を組み合わせた扉４を閉めると、ケース垂設片３２に扉垂設片４３が当接し、枠材垂設片５１とを含め、各垂設片が重なり合った状態をなす。各垂設片上には、ねじの軸部８１を通すねじ穴が施されており、各垂設片が重なり合った状態で、係るねじ孔が同一線上に配置され、軸部８１を貫通することとなる。雄ねじ８を挿通し、締結することで、各要素間の結合をなすが、いずれの締結構造においても、雄ねじ８に有する軸部８１と、軸部８１を受けるねじ孔との螺合により締結されるものである。締結する手段にあたっては、上述の雄ねじ８の他にも、ボルトとナットとを組み合わせたものや、その他、結合や解除を行える締結機構であればよい。本実施例では、図２で示すように、締結構造（ａ）および（ｂ）が、重なり合う垂設片３２、４３、５１上において所定間隔を空けて交互に連設している。締結構造（ａ）および（ｂ）は、設ける場所、個数などは自由に設定してもよいが、いずれも等間隔に設けたほうが望ましい。
【００１８】
図３（ａ）は、枠材５と扉４との結合を示した図である。図中、（ａ）−１は、扉４を閉める直前の状態を示す図であり、（ｂ）−２は、閉めた状態を示す。ケース垂設片３２上に設けるねじ孔を、軸部８１の径より大きくとって形成している。そのため、枠材垂設片５１へ軸部８２を挿通すると、締結は枠材５と扉４との間までに及び、その先にあるケース垂設片３２への締結がはたらかないものとなる。したがって、枠材垂設片５１と扉垂設片４３との結合をなす。一方、図３（ｂ）では、枠材垂設片５１へのねじ孔を大きとって貫通孔８３形成しており、雄ねじ８を挿通すると、ねじ頭８２が枠材垂設片５１を貫通し、その先にある扉垂設片４３とケース垂設片３２との締結をもたらす。このようにして、枠材５と扉４との締結（図３（ａ））、扉４とケース３との締結（図３（ｂ））を実現することができる。扉４を開放したい場合は、図３（ｂ）の締結構造にかかる雄ねじを外せば良く、この脱落によっても枠材５と扉４との締結に影響をおよぼさないので、枠材５と扉４との締結を保持したまま扉を開放することができる。なお、枠材垂設片５１と扉垂設片４３との締結は、扉４を閉めた後でもよいが、扉を閉める以前に予め締結しておくこともできる。この場合、締結後に扉４を閉めるにあたって、扉垂設片４３とケース垂設片３２との当接ができるように設計する必要がある。
【００１９】
また、枠材５と扉４との締結機構については、図３（ａ）に示すほかにも、図３（ｃ）で示すように、ケース３側から軸部８１を挿通して締結する方法もある。この場合、ケース３側に開けるねじ孔を、ねじ頭８２が貫通するほどの大きさにした貫通孔８３とする必要がある。このように構成することで、雄ねじ８を挿通する向きによって締結機構の判別がつくため、作業上においては好都合となる。
なお、上述の締結機構については、雄ねじ８の挿通で締結する構造を例示したが、これに限定するものではない。例えば、図３（ａ）、（ｂ）で示す構造の内、ねじ軸部８２の挿通をケース３側から行う方法をとれば、図３（ａ）では枠材５と扉４との締結を、図３（ｂ）では扉とケースとの締結をもたらすことができる。また、雄ねじの軸部を延長し、当該軸部の先よりナットなどと嵌め合わせて締結させる他、ねじをボルトに換えてもできる。その他、上述の実施例では、締結機構に用いる雄ねじ８を共有して構成できるものであるが、これを締結機構毎に分けて大別すれば、分別がさらに容易となる。このように、本発明の要旨を変更しない範囲で種々の設計変更を施すことが可能である。
【図面の簡単な説明】
【図１】本発明の実施例である標識装置の一部断面図である。
【図２】図１に示す標識装置の斜視図と、要部拡大図である。
【図３】標識装置の締結手段を示した要部断面図である。
【図４】従来の標識装置における一部断面図である。
【符号の説明】
１                標識装置
２                カバー
３                ケース
３１              開口
３２              ケース垂設片
３４              貫通孔
４                扉
４３              扉垂設片
５                枠材
５１              枠材垂設片
７                パネル
８                雄ねじ
８１              軸部
８２              ねじ頭
８３              貫通孔
【図１】
2004246031.tif 000003
【図２】
2004246031.tif 000004
【図３】
2004246031.tif 000005
【図４】
2004246031.tif 000006